(57)【要約】【課題】  両面に記録面を持つ記録媒体において、第一の記録面に対する記録処理中に不具合が発生した場合、または第一の記録面の読み出し品質が低下した場合に、第二の記録面に記録されたデータに関して、データを保護する必要がある。【解決手段】  第一の記録面に対して記録処理中の不具合、または読み出し品質の劣化を検知すると、その記録媒体の第二の記録面に記録されたデータに対して、別の記録媒体に複製する。【選択図】  図９
2013161500.tif 000002
【特許請求の範囲】
【請求項１】
サーバとデータライブラリ装置よりなる記録再生システムにおいて、
前記サーバは、
データを記録する情報記録媒体と、
前記データライブラリ装置とデータ及びまたは命令の送受信を行うデータライブラリインタフェース部を備え、
前記データライブラリ装置は、
第一の記録面と第二の記録面は表裏の関係にあって、第一の記録面及び第二の記録面を持つ一または複数毎の記録媒体が一または複数枚格納される記録媒体格納部と、
前記記録媒体にデータを記録および再生する１つまたは複数の記録再生部と、
前記記録媒体格納部と前記記録再生部との間で前記記録媒体を運搬して受け渡しを行う記録媒体運搬部と、
前記記録媒体運搬部と前記記録再生部の制御及び前記サーバとデータ及びまたは命令の送受信を行うライブラリ制御部と、
を備え、
前記サーバは、前記ライブラリ制御部から前記記録媒体への記録処理の失敗を受信すると、前記記録媒体の記録処理に失敗した面と反対の面に、既にデータを記録済みの場合、前記記録済みの面のデータを前記記録再生部にて読み出し、読み出したデータを別の記録媒体に記録するように制御する制御部を有することを特徴とする記録再生システム。
【請求項２】
請求項１に記載の記録再生システムにおいて、
前記制御部は、前記記録媒体の両面へのデータ記録が完了するまで、前記情報記録媒体からオリジナルデータを削除しないことを特徴とする記録再生システム。
【請求項３】
請求項１乃至請求項２いずれか１つに記載の記録再生システムにおいて、
前記制御部は、前記記録済みの面のデータを別の記録媒体に複製が完了した場合に、前記別の記録媒体の、データを記録していない方の面に、前記記録処理に失敗したデータを記録するように制御することを特徴とする記録再生システム。
【請求項４】
請求項１乃至請求項３いずれか1つに記載の記録再生システムにおいて、
前記制御部は、前記記録済みの面のデータを別の記録媒体に複製する際に、片面のみ記録可能な記録媒体が複数枚あった場合、前記記録処理に失敗したデータと前記記録済みの面のデータを異なる記録媒体に記録するように制御することを特徴とする記録再生システム。
【請求項５】
サーバとデータライブラリ装置よりなる記録再生システムにおいて、
前記サーバは、
データを記録する情報記録媒体と、
前記データライブラリ装置とデータ及びまたは命令の送受信を行うデータライブラリ
インタフェース部を備え、
前記データライブラリ装置は、
第一の記録面と第二の記録面は表裏の関係にあって、第一の記録面及び第二の記録面を持つ一または複数毎の記録媒体と、
前記記憶媒体が一または複数枚格納される記録媒体格納部と、
前記記録媒体にデータを記録および再生する１つまたは複数の記録再生部と、
前記記録媒体格納部と前記記録再生部との間で前記記録媒体を運搬して受け渡しを行う記録媒体運搬部と、
前記記録媒体運搬部と前記記録再生部を制御及び前記サーバとデータ及びまたは命令の送受信を行うライブラリ制御部と、
を備え、
前記記録再生部は、前記記録媒体の再生処理において読み出し品質を示す情報を取得する手段を有し、
前記サーバは、前記ライブラリ制御部から前記読み出し品質を示す情報を受信し、読み出し品質の劣化を検知すると、前記記録媒体に記録されたデータを別の記録媒体に両面とも記録するように制御する制御部を有する事を特徴とする記録再生システム。
【請求項６】
請求項５に記載の記録再生システムにおいて、
前記制御部は、両面記録済み記録媒体を別の記録媒体に複製する際に、片面のみ記録可能な記録媒体が２枚ある場合、前記両面記録済み記録媒体のデータを、面単位で、前記片面のみ記録可能な記録媒体２枚に分散して複製するように制御する事を特徴とする記録再生システム。
【請求項７】
データライブラリ装置と接続されるサーバであって、
前記データライブラリ装置は、
少なくとも第１の記録面と第２の記録面を有する記録媒体が一または複数枚格納される記録媒体格納部と、
前記記録媒体にデータを記録および再生する１つまたは複数の記録再生部と、
前記記録媒体格納部と前記記録再生部との間で前記記録媒体を運搬して受け渡しを行う記録媒体運搬部と、を備え、
前記サーバは、
前記データライブラリ装置とデータ及びまたは命令の送受信を行うデータライブラリインタフェース部と、
前記ライブラリ制御部を介して前記記録媒体の前記第１の記録面への記録処理の失敗を受信すると、前記第２の記録面のデータを前記記録再生部にて読み出し、該読み出したデータを別の記録媒体に記録するように制御する制御部を有することを特徴とするサーバ。
【請求項８】
請求項７記載のサーバであって、
前記第１の記録面と前記第２の記録面は表裏の関係にあることを特徴とするサーバ。
【請求項９】
請求項７記載のサーバであって、
前記第１の記録面と前記第２の記録面は、前記記録媒体のいずれか一方の面に位置することを特徴とするサーバ。
【請求項１０】
請求項７記載のサーバであって、
前記制御部は、前記別の記録媒体へのデータの記録が完了するまで、前記第１の記録面と前記第２の記録面からオリジナルデータを削除しないことを特徴するサーバ。
【請求項１１】
請求項７記載のサーバであって、
前記制御部は、前記第２の記録面のデータを別の記録媒体に複製が完了した場合に、前記別の記録媒体の、データを記録していない面に、前記記録処理に失敗したデータを記録するように制御することを特徴とするサーバ。
【請求項１２】
請求項８記載のサーバであって、
前記制御部は、前記第２の記録面のデータを別の記録媒体に複製する際に、前記データライブラリ装置に片面のみ記録可能な記録媒体が複数枚あった場合、前記第１の記録面に記録されたデータと前記第２の記録面に記録されたデータを異なる記録媒体に記録するように制御することを特徴とするサーバ。
【発明の詳細な説明】
【技術分野】
【０００１】
本発明は、記録再生システム、サーバに関するものである。
【背景技術】
【０００２】
本技術分野の背景技術として、特開２００５-２５８６１号公報がある。特許文献１には、読み出し品質が劣化する傾向を有する記録媒体について、データ喪失を回避するための光ディスク装置およびデータ保護方法として、「読み出し品質の劣化の程度を判断することによって、データ喪失が起きる前に記録済みデータを保護することのできる光ディスク装置およびデータ保護方法を提供すること」が記載されている。
【先行技術文献】
【特許文献】
【０００３】
【特許文献１】特開２００５-２５８６１号公報
【発明の概要】
【発明が解決しようとする課題】
【０００４】
しかし、特許文献１では、読み出し品質が低下したデータのデータ保護方法しか考慮されていない。
【０００５】
そこで、本発明の目的は、複数の記録面を持つ記録媒体（例えば、両面に記録面を持つ記録媒体）のデータを適切に保護することが可能な記録再生システム、サーバを提供することである。
【課題を解決するための手段】
【０００６】
上記課題を解決するために、例えば特許請求の範囲に記載の構成を採用する。
【発明の効果】
【０００７】
本発明によれば、複数の記録面を持つ記録媒体のデータを適切に保護することが可能な記録再生システム、サーバを提供することが出来る。
【０００８】
上記した以外の課題、構成及び効果は、以下の実施形態の説明により明らかにされる。
【図面の簡単な説明】
【０００９】
【図１】データライブラリ装置の構成を示すブロック図である。
【図２】データ記録再生部の構成を示すブロック図である。
【図３】データ記録再生部の動作を示すフローチャートである。
【図４】光ディスク運搬部のブロック図である。
【図５】光ディスク運搬部の外観図である。
【図６】光ディスク運搬部の動作を示すフローチャートである。
【図７】記録再生システムの構成を示すブロック図である。
【図８】記録再生システムの記録再生動作を示すフローチャートである。
【図９】記録処理で不具合が発生した場合の光ディスク複製動作を示すフローチャートである。
【図１０】再生処理で読み出し品質の劣化を検出した場合の光ディスク複製動作を示すフローチャートである。
【図１１】データ記録再生部の構成を示すブロック図である。
【図１２】記録処理で不具合が発生した場合の光ディスク複製動作を示すフローチャートである。
【図１３】光ディスクの管理情報の一例である。
【発明を実施するための形態】
【００１０】
以下、図面を用いて実施例を説明する。
【実施例１】
【００１１】
図１はデータライブラリ装置の構成を示すブロック図である。
【００１２】
１０１はデータライブラリ装置であり、記録時には、データをネットワーク１０４から受け取り、サーバ１０３を介してハードディスク１０５に蓄積し、蓄積したデータを光ディスク１０９に記録する。再生時には、ハードディスク１０５または光ディスク１０９からデータを再生し、サーバ１０３を介してネットワーク１０４に送る。１０３はサーバであり、データライブラリ装置１０１の内蔵するＣＰＵ（Ｃｅｎｔｒａｌ  Ｐｒｏｃｅｓｓｉｎｇ  Ｕｎｉｔ）１０２との通信によってデータライブラリ装置を制御するとともに、ハードディスク１０５を制御し、データの記録再生やネットワーク１０４を介したデータ送受信等のデータ管理を行う。１０５はハードディスクであり、サーバ１０３に制御されてネットワーク１０４から送られたデータを蓄える。図１ではハードディスク１０５をサーバ１０３の外側に図示したが、サーバ１０３内に含まれる構成でも良い。１０９は両面に記録面を持つ光ディスクであり、それら記録面を第一の記録面と第二の記録面と表記する。光ディスク１０９は光ディスク格納部１０８の内部に複数枚格納されている。図１では光ディスク格納部１０８は１つしか図示しないが、複数内蔵してもよく、例えば一方は未記録ディスク格納部、他方は記録済ディスク格納部など、用途に応じて使い分けても構わない。もちろん、光ディスク格納部１０８の内部を未記録ディスク格納領域と記録済ディスク格納領域とに区切っても構わない。光ディスク１０９は、データ記録時、光ディスク運搬部１０７によって光ディスク格納部１０８から取り出され、第一の記録面用データ記録再生部１１０、１１１または第二の記録面用データ記録再生部１１２、１１３のいずれかに装填され、データ記録が終了すると、光ディスク運搬部１０７によって光ディスク格納部１０８へと戻される。一方、データ再生時、光ディスク１０９は光ディスク運搬部１０７によって光ディスク格納部１０８から取り出され、第一の記録面用データ記録再生部１１０、１１１または第二の記録面用データ記録再生部１１２、１１３のいずれかに装填され、データを再生し、データ再生が終了すると、光ディスク運搬部１０７によって光ディスク格納部１０８へと戻される。１１０、１１１は第一の記録面用データ記録再生部、１１２、１１３は第二の記録面用データ記録再生部であり、データライブラリ装置のＣＰＵ１０２に制御されて、光ディスク１０９へのデータ記録または光ディスク１０９からのデータ再生を行う。また、再生時には第一の記録面用データ記録再生部１１０，１１１および第二の記録面用データ記録再生部１１２、１１３は光ディスク１０９に記録されたデータを読み出す際に、読み出し品質が取得可能で、ＣＰＵ１０２経由でサーバ１０３に送信することが可能である。読み出し品質とは、読み出す際にどれだけのエラー訂正処理が行われたかなど、記録済みデータの品質を示す情報である。なお、以下の説明においては、第一の記録面用データ記録再生部と第二の記録面用データ記録再生部を特に区別する必要が無い場合は、単にデータ記録再生部として説明する。１０７は光ディスク運搬部であり、データライブラリ装置１０１のＣＰＵ１０２に制御されて、光ディスク１０９を光ディスク格納��１０８から取り出し、運搬し、データ記録再生部１１０、１１１、１１２、１１３に装填する。あるいは、光ディスク１０９をデータ記録再生部１１０、１１１、１１２、１１３から受け取り、運搬し、光ディスク格納部１０８へと格納する。また、例えば記録再生部１１０から記録再生部１１１へと記録再生部間で光ディスクを運搬してもよい。また、データライブラリ装置１０１が光ディスク格納部を複数内蔵する場合、光ディスク運搬部１０７は、内蔵する光ディスク格納部から別の内蔵する光ディスク格納部への光ディスクを運搬してもよい。１０２はデータライブラリ装置１０１のＣＰＵであり、サーバ１０３からの要求により、光ディスク運搬部１０７を制御して、光ディスク格納部１０８に格納された複数枚の光ディスク１０９の中から所望の光ディスクを選択し、データ記録再生部１１０、１１１、１１２、１１３に送る。また、光ディスク運搬部１０７を制御してデータ記録再生部１１０、１１１、１１２、１１３から光ディスク１０９を受け取り、光ディスク格納部１０８内の所定の位置に光ディスクを格納する。１０６はメモリであり、データライブラリ装置のＣＰＵ１０２を制御するためのプログラムや各種の設定情報が記録されている。
【００１３】
図２はデータ記録再生部の構成を示すブロック図である。１１０は第一の記録面用データ記録再生部であり、ライブラリ装置のＣＰＵ１０２から入力したデータを光ディスクに記録する。また、光ディスクから再生したデータをライブラリ装置のＣＰＵ１０２に出力する。
２０７はＣＰＵであり、データ記録再生部１１０の記録処理、再生処理の制御を行う。なお、ＣＰＵでなくとも、同様の制御が可能な任意の回路を用いてもよい。２０１は両面に記録面を持つデータ記録媒体、例えばＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ）である。なお、以下の説明においては、単に光ディスク２０１として説明する。また、データ記録媒体は、必ずしも光ディスクに限定されるものではなく、光磁気ディスクやホログラム等の記録媒体であってもよい。２０２は光ピックアップであり、光ディスク２０１から信号を読み出して増幅回路２０３に送る。また、信号処理回路２０４から送られた変調信号を光ディスク２０１に記録する。２０３は増幅回路であり、光ピックアップ２０２を介して光ディスク２０１から読み出した再生信号を増幅して信号処理回路２０４に送る。また、サーボ信号を生成してサーボ回路２０６に送る。２０４は信号処理回路であり、入力信号を復調し、誤り訂正等を行ったデータをインタフェース回路２０５に送る。また、インタフェース回路２０５から送られたデータに誤り訂正符号を付加する等を行い、変調して光ピックアップ２０２に送る。２０５はインタフェース回路であり、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）その他の転送方式に準拠したデータ転送処理を行う。データ転送時には、信号処理回路２０４から送られたデータをホストであるライブラリ装置のＣＰＵに送る。また、ホストであるライブラリ装置のＣＰＵから送られたデータを信号処理回路２０４に送る。２０８はメモリであり、データ記録再生部を制御するためのプログラムや各種設定情報、光ディスクから取得した媒体情報等を格納する。なお、メモリ２０８はデータ記録再生部内でＣＰＵ２０７と接続する例を示したが、データ記録再生部内外のどこに接続されていてもよい。また、情報を保持できればメモリでなくてもよく、例えばハードディスクでもよい。２０６はサーボ回路であり、増幅回路２０３にて生成されたサーボ信号により光ピックアップ２０２を制御する。
【００１４】
上記構成のデータ記録再生部によって、データライブラリ装置１０１のＣＰＵ１０２からの指示に従って光ディスクへのデータを記録し、また、光ディスクからデータを再生してデータライブラリ装置１０１のＣＰＵ１０２に渡すことができる。なお、ここでは第一の記録面用データ記録再生部１１０について説明したが、第一の記録面用データ記録再生部１１１あるいは第二の記録面用データ記録再生部１１２、１１３も同様の構成である。  図３はデータ記録再生部の動作を示すフローチャートである。
【００１５】
ステップＳ３０１においてデータ記録再生部に光ディスクが装着されると、ステップＳ３０２においてセットアップ処理を行う。
【００１６】
次にステップＳ３０３において、データライブラリ装置のＣＰＵからデータ再生が要求されていたならば、ステップＳ３０４においてデータ再生処理を行う。あるいはステップＳ３０５において、データライブラリ装置のＣＰＵからデータ記録が要求されていたならば、ステップＳ３０６においてデータ記録処理を行う。ステップＳ３０７において再生または記録処理が完了していた場合は、処理を終了する。
【００１７】
図４は光ディスク運搬部のブロック図、図５は光ディスク運搬部の外観図である。
１０７は光ディスク運搬部であり、データライブラリ装置１０１のＣＰＵ１０２からの指示を受けて光ディスク１０９を光ディスク格納部１０８から取り出してデータ記録再生部１１０、１１１、１１２、１１３に装填する。また、光ディスクをデータ記録再生部から取り出して光ディスク格納部に格納する。
【００１８】
４０１はＣＰＵであり、光ディスク運搬部の制御を行う。４０２はメモリであり、光ディスク運搬部を制御するためのプログラムや各種設定情報等を格納する。なお、メモリ４０２は光ディスク運搬部内でＣＰＵ４０１と接続する例を示したが、光ディスク運搬部内外のどこに接続されていてもよい。
また、情報を保持できればメモリでなくてもよく、例えばハードディスクでもよい。
４０３はセンサ制御回路であり、ＣＰＵ４０１からの指示に基づいて各種センサを制御する。また、各種センサからの入力信号を受け、ＣＰＵ４０１に通知する。
【００１９】
４０４はモータ制御回路であり、ＣＰＵ４０１からの指示に基づいて４０５、４０６、４０７のロボットアーム部を駆動する。また、ロボットハンド部４０８を駆動する。
【００２０】
ロボットアーム部４０５、４０６、４０７は前進や後進といった直進運動と回転運動により、ロボットハンド部４０８の位置を調整する。
【００２１】
ロボットハンド部４０８は光ディスク１０９を破損することなく保持可能な形状から成り、光ディスク格納部１０８及びデータ記録再生部１１０、１１１、１１２、１１３に対して光ディスクの出し入れや受け渡しを行う。
【００２２】
上記構成の光ディスク運搬部によって、データライブラリ装置１０１のＣＰＵ１０２からの指示に従って、データ記録再生部とデータ記録再生部との間で光ディスクを運搬することができる。
【００２３】
なお、ここでは光ディスク運搬部がデータライブラリ装置内に１つ存在する例を示したが、複数の光ディスク運搬部が存在しても構わない。また、光ディスク運搬部の形状は図５の例に限らず、例えば、光ディスクの中心穴を利用して光ディスクを固定し、運搬するようにしても構わない。
【００２４】
図６は光ディスク運搬部の動作を示すフローチャートである。
【００２５】
ステップＳ６０１では、光ディスク運搬部を動作開始するためのセットアップ処理を行う。
【００２６】
次にステップＳ６０２においてホストから光ディスクの運搬元がデータ記録再生部であると指定されていたならば、ステップＳ６０３においてデータ記録再生部１１０、１１１、１１２、１１３のいずれが指定されたかの情報を取得する。
【００２７】
次にステップＳ６０４において光ディスク格納部内のどのアドレスに光ディスクを運搬し、格納するかの情報を取得し、ステップＳ６０５において指定運搬元であるデータ記録再生部から光ディスクを受け取り、受け取った光ディスクを指定運搬先である光ディスク格納部の所定アドレスまで運搬し、格納する。
【００２８】
あるいはステップＳ６０６においてホストから光ディスクの運搬元が光ディスク格納部であると指定されていたならば、ステップＳ６０７において光ディスク格納部内のどのアドレスに光ディスクを運搬し、格納するかの情報を取得する。
【００２９】
次にステップＳ６０８においてデータ記録再生部１１０、１１１、１１２、１１３のいずれに対して光ディスクを運搬し、受け渡すかの情報を取得し、ステップＳ６０９において指定運搬元である光ディスク格納部の所定アドレスから光ディスクを取得し、取得した光ディスクを指定運搬先であるデータ記録再生部まで運搬し、装填する。
【００３０】
ステップＳ６１０において運搬処理が完了していた場合は、処理を終了する。
【００３１】
図７は記録再生システムの構成を示すブロック図である。
【００３２】
記録再生システムは、サーバ１０３に、１つ以上のデータライブラリ装置１０１と、ハードディスク１０５と、ネットワーク１０４とが接続されて構成される。
【００３３】
１０３はサーバであり、データライブラリ装置１０１に対してデータの記録再生を中心としたサービスを提供するとともに、ハードディスク１０５に対するデータの記録と再生、ネットワーク１０４を介したデータの送受信や管理を行う。
【００３４】
７０１はサーバ１０３のＣＰＵであり、データ記録時には、ネットワーク１０４からネットワーク制御部７０５を介して受信したデータをハードディスクＩ／Ｆ部７０４を介してハードディスク１０５に記録する。
【００３５】
あるいは、データライブラリＩ／Ｆ部７０３を介してデータライブラリ装置１０１を制御し、データライブラリ装置１０１が内蔵する光ディスクに記録する。
【００３６】
データ再生時には、ハードディスクＩ／Ｆ部７０４を介してハードディスク１０５からデータを読み出し、読み出したデータをネットワーク制御部７０５を介してネットワーク１０４に送信する。
【００３７】
あるいは、データライブラリＩ／Ｆ部７０３を介してデータライブラリ装置１０１を制御し、データライブラリ装置１０１が内蔵する光ディスクからデータを再生し、再生したデータを受け取り、受け取ったデータをネットワーク制御部７０５を介してネットワーク１０４に送信する。または、データライブラリ装置１０１から受け取った各種の情報を適宜加工して記録、管理し、また、その情報を再生し、再生した情報に基づいて制御方針を決定するとともに、実際の制御を行う。管理する情報として、一例として光ディスクの情報を図１３に示す。図１３に示す情報をもとに光ディスクの劣化度合いを判断し制御方針を決定しても良い。また管理する情報は光ディスクだけではなく、データ記録再生部、光ディスク運搬部、光ディスク格納部なども考えられる。これら情報を更新するタイミングとしては、データを記録した時、再生した時、ディスクを運搬した時など各処理の実行タイミングで取得しても良いし、定期的にサーバからライブラリ装置に状態確認要求を出しても良い。
【００３８】
７０２はメモリであり、サーバ１０３のＣＰＵ７０１を制御するためのプログラム、各種の情報が記録されている。
【００３９】
７０３はデータライブラリＩ／Ｆ部であり、データライブラリ装置１０１とサーバ１０３のＣＰＵ７０１との間でのデータ送受信に関する制御を行う。
【００４０】
なお、図では１つのデータライブラリＩ／Ｆ部に複数のデータライブラリ装置が接続されているが、例えば、ネットワークを介して複数のデータライブラリ装置が接続されるような構成でもよい。
【００４１】
７０４はハードディスクＩ／Ｆ部であり、ハードディスク１０５とＳＡＴＡなどの規格に準拠したデータ転送を行う。
【００４２】
７０５はネットワーク制御部であり、ネットワーク１０４とサーバ１０３のＣＰＵ７０１との間でのデータ送受信に関する制御を行う。
【００４３】
図８は記録再生システムの動作を示すフローチャートである。
【００４４】
ステップＳ８０１においてネットワーク１０４を介してサーバ１０３に再生要求があった場合、サーバ１０３のＣＰＵ７０１は、ステップＳ８０２において再生要求されたデータの格納先を調査する。要求データがハードディスク１０５内であれば、サーバ１０３のＣＰＵ７０１は、ステップＳ８０３においてハードディスクからデータ再生処理を行う。再生されたデータはサーバ１０３のＣＰＵ７０１からネットワーク制御部７０５を介してネットワーク１０４に送信される。また、ステップＳ８０４では、再生処理を完了する。  あるいは要求データがハードディスク１０５にないならば、サーバ１０３のＣＰＵ７０１は、ステップＳ８０５において要求されたデータが記録されている光ディスクを特定する。
【００４５】
次に、ステップＳ８０６において、再生する光ディスクの記録面を判定し、ステップＳ８０７で再生手段判定処理を行う。再生手段判定処理とは、光ディスクを再生するために、どのデータライブラリ装置の、どのデータ記録再生部を使用するかを判定する処理である。この判定処理は、サーバ１０３のメモリ７０２に記録されたプログラムが行い、どの装置を利用するかの判定は同じくメモリ７０２に記録された判定アルゴリズムによって行う。再生手段判定処理によって再生に使用するデータライブラリ装置と使用するデータ記録再生部を決定したならば、次にステップＳ８０８において、ステップＳ８０７で決定したデータライブラリ装置に対して、使用するデータ記録再生部と再生すべき光ディスクを伝え、データ再生を要求する。再生したデータは随時データライブラリ装置からデータライブラリＩ／Ｆ部７０３を介してサーバ１０３のＣＰＵ７０１に送られ、ネットワーク制御部７０５を介してネットワーク１０４に送信される。
【００４６】
次にステップＳ８０９において処理が完了したならば、処理を終了する。
【００４７】
また、サーバ１０３のＣＰＵ７０１は、再生処理の制御だけでなく、記録処理の制御も行う。ここで、記録処理の開始トリガは、ネットワーク１０４からの要求である。この場合、要求にしたがって、適宜データライブラリ装置を制御して記録処理を行えばよく、詳細な説明は割愛する。
【００４８】
ここでは、記録処理の開始トリガが、ステップＳ８１０においてサーバ１０３のＣＰＵ７０１が判断によるものである場合について詳しく説明する。
【００４９】
ステップＳ８１０においてサーバ１０３のＣＰＵ７０１は、ハードディスク１０５に記録されているデータのうち、光ディスクに記録すべきデータがあるかを調査する。
【００５０】
光ディスクに記録すべきデータとは、言い換えるならばハードディスク１０５から光ディスクへと移動すべき、または移動しても支障のないデータである。
【００５１】
どのデータを光ディスクに記録すべきかの判定は、サーバ１０３のメモリ７０２に記録されたプログラムが行い、どのデータを光ディスクに記録すべきかの判定は同じくメモリ７０２に記録された判定アルゴリズムによって行う。判定に際しては、一例として一定期間以上、再生要求のないデータであること、などの基準を用いればよい。
【００５２】
記録すべきデータがあった場合、ステップＳ８１１において、記録する光ディスクの記録面を判定し、ステップＳ８１２において記録手段判定処理を行う。記録手段判定処理とは、データを光ディスクに記録するために、どのデータライブラリ装置の、どのデータ記録再生部と、どの光ディスクを使用するかを判定する処理である。この判定処理は、サーバ１０３のメモリ７０２に記録されたプログラムが行い、どの装置を利用するかの判定は同じくメモリ７０２に記録された判定アルゴリズムによって行う。
【００５３】
記録手段判定処理によって記録に使用するデータライブラリ装置と使用するデータ記録再生部と使用する光ディスクを決定したならば、次にステップＳ８１３において、ステップＳ８１２で決定したデータライブラリ装置に対して、使用するデータ記録再生部と使用すべき光ディスクを伝え、また、記録すべきデータを受け渡し、データ記録を要求する。  次にステップＳ８１４において処理したかどうかを判定する。
【００５４】
以上の構成により、本実施例の記録再生システムではネットワークからの再生要求を受けてハードディスクからデータを再生することができる。
【００５５】
ここで、図８で説明した記録処理中に不具合が発生した場合、この光ディスクを破棄して別の新たな光ディスクに再度記録しなおす必要がある。ただ、この破棄する光ディスクの記録処理をしていた記録面とは反対の記録面に既にデータが記録済みであった場合、この記録済みデータを別の光ディスクに複製する必要がある。図９は記録再生システムの記録処理で不具合が発生した場合の、光ディスクの複製処理を示すフローチャートである。光ディスクの両面を区別して説明するため、これら記録面を第一の記録面、第二の記録面と表記する。また記録処理に失敗した光ディスクをディスクA、ディスクAに記録されたデータを複製する先の光ディスクをディスクBと表記する。ディスクAの第二の記録面に対して記録処理中に不具合が発生した場合における、光ディスクのデータ複製方法について説明する。
【００５６】
ステップＳ９０１にて、サーバ１０３のＣＰＵ７０１がディスクAの第二の記録面に対する記録処理に失敗した事を検知した場合、ステップＳ９０２でサーバ１０３のＣＰＵ７０１がメモリ７０２からディスクAの情報を読み出し、第一の記録面にデータが記録済みかどうかを判定する。第一の記録面にデータが記録済みの場合、ステップＳ９０３でディスクAを第二の記録面用の記録再生部から取り出し、第一の記録面が再生可能なデータ記録再生部に搬送する。さらにステップＳ９０４で光ディスク格納部１０８に格納された両面記録可能なディスクBをステップＳ９０３で搬送したデータ記録再生部とは異なるデータ記録再生部に搬送する。なお、光ディスクの搬送方法は図６で説明したとおりである。そして、ステップＳ９０５にてディスクAの第一の記録面に記録されたデータを再生し、読み出したデータをディスクBに記録する。なお、記録、再生の方法は図８で説明したとおりである。ステップＳ９０６でディスクAの第一の記録面に記録された全データに対してディスクBへの複製処理が完了しているかを判断し、完了していた場合、ステップＳ９０７にて、ディスクBを、第一の記録面のデータを記録した面とは反対の面の記録再生可能なデータ記録再生部に搬送する。そして、ステップＳ９０９にて、ディスクBに対してディスクAの第二の記録面に記録予定だったデータの記録処理を実施する。ステップＳ９１０にて処理が完了していれば、複製処理が完了となる。また、ステップＳ９０２にてディスクAの第一の記録面にデータが記録されていない場合、第一の記録面の複製処理が不要となるため、ステップＳ９０８にて記録処理に失敗したディスクAをデータ記録再生部から取り出し、光ディスク格納部１０８に格納された記録可能なディスクBをデータ記録再生部に搬送する。そして、ステップＳ９０９にて、ディスクBに対してディスクAの第二の記録面に記録予定だったデータの記録処理を実施する。ステップＳ９１０にて処理が完了していれば、処理完了となる。
【００５７】
なお、サーバ１０３のＣＰＵ７０１では、記録処理で不具合の発生を検知すると、その結果からメモリ７０２の光ディスクの管理情報を更新し、使用不可の光ディスクを特定可能にしても良い。
【００５８】
また、本実施例では記録媒体の第二の記録面への記録処理中に不具合が発生した場合についての動作を説明したが、第一の記録面への記録処理中に不具合が発生した場合についても同様の効果が得られる。
【００５９】
以上により、光ディスクへのデータ記録処理が失敗した場合に、別の光ディスクに切り替えての記録処理が可能となる。さらに、記録処理が失敗した光ディスクに既にデータを記録済みの面があった場合、その面のデータと合わせて、別の光ディスクへ記録することが可能となる。さらに、記録処理に失敗した光ディスクをライブラリ装置から取り出すことで、不要な光ディスクを排出し、光ディスク格納部１０８を効率的に使用可能である。  なお、光ディスクへの両面への記録が完了するまで、サーバ１０３側のハードディスク１０５から記録処理で用いる元データを削除しないことも考えられる。こうすることで、第一の記録面にはデータを記録済み、第二の記録面へのデータ記録中に不具合が発生した場合に、第一の記録面からデータを読み出すことなく、第一の記録面に記録していたデータをハードディスク１０５から読み出して、別のディスクに記録することが可能となり、処理手順が削減可能となる。
【実施例２】
【００６０】
次に、図８で説明した再生処理中に読み出し品質の劣化を検知した場合のデータの複製処理について説明する。図１０は記録再生システムの再生処理で、データの読み出し品質の劣化を検出した場合の、光ディスクの複製処理を示すフローチャートである。図９同様に光ディスクの両面を区別して説明するため、これら記録面を第一の記録面、第二の記録面と表記する。また読み出し品質の劣化が検知された光ディスクをディスクA、ディスクAに記録されたデータを複製する先の光ディスクをディスクBと表記する。ステップＳ１００１にてサーバ１０３のＣＰＵ７０１がディスクAの第一の記録面の再生処理中に読み出し品質の劣化を検知すると、ステップＳ１００２にて、光ディスク格納部１０８からデータが記録可能なディスクBを、ディスクAの第一の記録面の再生を実施しているデータ記録再生部とは異なるデータ記録再生部に搬送する。そして、ステップＳ１００３にて、ディスクAの第一の記録面のデータを再生し、読み出したデータをディスクBに記録する。ステップＳ１００４で第一の記録面に記録された全データに対してディスクBへの複製処理が完了しているかを判断し、完了していればステップＳ１００５で、サーバ１０３のＣＰＵ７０１が、メモリ７０２からディスクAの情報を読み出し、ディスクBの第二の記録面にデータが記録済みかどうかを判断する。第二の記録面にデータが記録済みでなければ複製処理完了となる。第二の記録面にデータが記録済みの場合、ステップＳ１００６で、ディスクAを第一の記録面用のデータ記録際西部から第二の記録面が再生可能なデータ記録再生部に搬送する。さらにステップＳ１００７にて、ディスクBを、第二の記録面を記録再生可能なデータ記録再生部に搬送する。そして、ステップＳ１００８にてディスクAの第二の記録面のデータを再生し、読み出したデータをディスクBに記録する。ステップＳ１００９にて複製処理が完了すると処理終了となる。
【００６１】
以上により、光ディスクの片方の記録面のデータ読み出し品質の低下を検知した場合、その光ディスクは全体的に読み出し品質が劣化している可能性があるため、その光ディスクの両面のデータに対して、別の光ディスクに複製することで、光ディスク一枚単位でのデータの保護が可能となる。また、データ複製後に読み出し品質の劣化した光ディスクを装置から排出することで、光ディスク格納部１０８を効率的に使用可能である。
【００６２】
また、サーバ１０３のＣＰＵ７０１では、再生処理で読み出し品質の劣化を検知すると、その結果からメモリ７０２の光ディスクの管理情報を更新し、使用不可の光ディスクを特定可能にしても良い。
【００６３】
また、本実施例では第一の記録面に記録されたデータへの再生処理中に読み出し品質の劣化を検知した場合についての動作を説明したが、記録媒体の第二の記録面に記録されたデータへの再生処理中に読み出し品質の劣化を検知した場合も同様の効果が得られる。
【実施例３】
【００６４】
次にデータ記録再生部が光ピックアップを二つ搭載する場合について図１１を用いて説明する。図１１の２０１から２０８のユニットは図２と同様であり、２０９は光ピックアップである。光ピックアップ２０９は光ピックアップ２０２とは異なる記録面に対して動作するものであり、機能としては光ピックアップ２０２と同様である。ＣＰＵ２０７は、上位装置からの指示により、光ピックアップ２０２と２０９のどちらを使用するかを選択し、選択された光ピックアップによって、光ディスクの記録再生処理を実施する。
【００６５】
このデータ記録再生部を用いた場合に、記録処理で不具合が発生した時の動作フローを図１２に示す。図９との違いは、ディスクＡを第一の記録面用のデータ記録再生部に搬送するステップが不要な点と、ディスクＢの片方の面の記録処理が終わった後にもう片方の面に対して記録処理をする際に、ディスクの搬送処理が不要になる点である。なお、再生処理中に読み出し品質の劣化を検知した場合についても同様に、光ディスクをデータ記録再生図に搬送する回数が削減可能となる。
【００６６】
このように、両方の記録面に対して記録及びまたは再生可能なデータ記録再生部を使用することで、各処理において光ディスクをデータ記録再生部に搬送するステップが削減可能であり、処理の高速化となる。
【００６７】
なお、図９および図１０および図１２の例では、光ディスクの両面を複製する場合に、別の両面ディスク一枚に複製する例をあげたが、片方の面へのデータ記録が可能な光ディスク２枚に分散して記録しても良い。これにより、ディスクの枚数を減らすことが可能であり、光ディスク格納部を効率的に使用可能である。なお、光ディスクの両面を複製する場合に、別の両面ディスク一枚に複製した場合、管理が容易となるというメリットがある。
【００６８】
また、記録処理で不具合が発生した光ディスクまたは読み出し品質の劣化した面を持つ光ディスクの扱いとして、本説明では破棄を例としてあげたが、破棄ではなく、光ディスク格納部１０８の破棄予定用に設けた領域に搬送しておき、何かのタイミング、例えば複数枚溜まった段階で破棄しても良い。
【００６９】
また、複製したディスクは、複製後に光ディスク格納部１０８の元々その光ディスクが格納されていた位置に搬送しても良いし、光ディスク格納部１０８の別の位置、例えば記録済み光ディスク専用の領域を設け、そこに搬送しても良い。
【００７０】
また、光ディスクの情報をサーバ１０３のメモリ７０２ではなく、データライブラリ装置１０１のメモリ１０６が保持していても良い。この場合、図９のステップＳ９０２および図１０のステップＳ１００５での光ディスク情報の取得方法は、サーバ１０３のＣＰＵ７０１が、データライブラリ装置１０１のＣＰＵ４０１経由でメモリ１０６から読み出すこととなる。
【００７１】
また、記録済みデータを別の光ディスクに複製する際に、再生したデータをサーバ１０３に戻してから、別の光ディスクに記録するように制御しても良いし、データライブラリ装置１０１内で再生したデータを記録するためのデータ記録再生部に送信するように制御しても良い。
【００７２】
また、データを複製する際に、再生と記録を並列に処理するのではなく、先にデータを全て再生してから、複製先光ディスクに記録しても良い。この場合、再生するデータ記録再生部と記録するデータ記録再生部は同じデータ記録再生部を用いても良い。
【００７３】
また、上記実施例では、両面に記録面を持つ記録媒体を例にして説明したが、本発明は、これに限られず、片面に複数の記録面を持つ記録媒体に対しても適用することが出来る。
【００７４】
また、記録再生システムが複数のデータライブラリ装置を搭載する場合、光ディスクの複製処理を２台のデータライブラリ装置を使用して行っても良い。例えば、データライブラリ装置１で読み出し品質の劣化を検知した場合に、データライブラリ装置１にてデータの再生処理を行い、再生したデータをサーバを経由してデータライブラリ装置２に送信し、データライブラリ装置２にて記録処理を実施する。こうすることで各データライブラリ装置の処理負荷を分散させることが可能である。あるいは、データライブラリ装置１に搭載するデータ再生部が全て使用中だった場合に、データライブラリ装置２のデータ再生部で記録処理を行うことも考えられる。
【００７５】
また、複製処理を実施する契機として、実施例１乃至実施例３にあげたタイミングだけではなく、図１３に示したような情報をもとに、サーバが記録品質の劣化度合いを検知したタイミングで複製処理を実施するかどうかを判断してもよい。例えば、記録処理に失敗した（あるいは読み出し品質の劣化が検出された）第二の記録面とは異なる第一の記録面において、リード回数及び/又はライト回数が予め定めた一定値以下であれば、複製処理を実施せずに第一の記録面をそのまま使用し、予め定めた一定値以上であれば複製処理を実施するという構成であってもよい。さらに、第一の記録面の劣化度合いは高いが第二の記録面の劣化度合いが低い場合、第一の記録面のみ複製処理を実施しても良い。こうすることで、光ディスクの有効利用が可能である。
【００７６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００７８】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７９】
１０１…データライブラリ装置、１０２…ＣＰＵ、１０３…サーバ、１０４…ネットワーク、１０５…ハードディスク、１０６…メモリ、１０７…光ディスク運搬部、
１０８…光ディスク格納部、１０９…光ディスク、１１０…第一の記録面用データ記録再生部、１１１…第一の記録面用データ記録再生部、１１２…第二の記録面用データ記録再生部、１１３…第二の記録面用データ記録再生部
【図１】
2013161500.tif 000003
【図２】
2013161500.tif 000004
【図３】
2013161500.tif 000005
【図４】
2013161500.tif 000006
【図５】
2013161500.tif 000007
【図６】
2013161500.tif 000008
【図７】
2013161500.tif 000009
【図８】
2013161500.tif 000010
【図９】
2013161500.tif 000011
【図１０】
2013161500.tif 000012
【図１１】
2013161500.tif 000013
【図１２】
2013161500.tif 000014
【図１３】
2013161500.tif 000015